(57)【要約】【課題】異なる厚みを有する複数種類の衣服に対応可能な送風装置に関する技術を提供する。【解決手段】送風装置１は、モータと、ファンと、モータとファンを収容するハウジング４と、所定の動作線に沿って、ハウジング４に対して取り外し可能に装着されるリング部材５と、ハウジングに設けられたフランジ４３と、リング部材５に設けられ、フランジ４３との間で服地を挟持するフランジ５３と、係止機構６とを備える。係止機構６は、リング部材５に設けられた係止突起６６と、ハウジング４に設けられ、回転軸Ａ１方向において互いに異なる複数の係止位置のうち何れか１つおいて、係止突起６６を回転軸Ａ１方向に係止するガイド溝６１とを含む。複数の係止位置の各々は、リング部材５が動作線に沿ってハウジング４に装着される過程で係止突起６６が通過可能な経路上にある。【選択図】  図４
2018115646.tif 000002
【特許請求の範囲】
【請求項１】
衣服に着脱可能に構成された送風装置であって、
モータと、
前記モータによって回転駆動されるファンと、
前記モータおよび前記ファンを収容するハウジングと、
所定の動作線に沿って、前記ハウジングに対して取り外し可能に装着されるように構成された装着部材と、
前記ハウジングに設けられた第１挟持部と、
前記装着部材に設けられるとともに、前記装着部材が前記ハウジングに装着された場合に、前記ファンの回転軸方向に前記第１挟持部に対向配置され、前記第１挟持部との間で前記衣服の服地を挟持するように構成された第２挟持部と、
前記装着部材を前記ハウジングに対して前記回転軸方向に係止することで、前記ハウジングに対する前記装着部材の前記回転軸方向の移動を規制するように構成された係止機構とを備え、
前記係止機構は、
前記ハウジングおよび前記装着部材のうち一方に設けられた第１係止部と、
前記ハウジングおよび前記装着部材のうち他方に設けられ、前記回転軸方向において互いに異なる複数の係止位置のうち何れか１つおいて、前記第１係止部を前記回転軸方向に係止するように構成された第２係止部とを含み、
前記複数の係止位置の各々は、前記装着部材が前記動作線に沿って前記ハウジングに装着される過程で前記第１係止部が通過可能な経路上にあることを特徴とする送風装置。
【請求項２】
請求項１に記載の送風装置であって、
前記装着部材は、前記動作線に沿って、前記回転軸方向、前記回転軸周りの周方向の順に前記ハウジングに対して相対移動されることで、前記ハウジングに装着されるように構成されており、
前記複数の係止位置は、前記経路のうち、前記周方向に延在する部分上にあることを特徴とする送風装置。
【請求項３】
請求項２に記載の送風装置であって、
前記装着部材を前記ハウジングに対して前記周方向に係止することで、前記ハウジングに対する前記装着部材の回転を規制するように構成された回転規制機構を更に備え、
前記回転規制機構は、
前記ハウジングおよび前記装着部材のうち一方に設けられた第１回転規制部と、
前記ハウジングおよび前記装着部材のうち他方に設けられ、前記第１回転規制部を前記周方向に係止するように構成された第２回転規制部とを含むことを特徴とする送風装置。
【請求項４】
請求項３に記載の送風装置であって、
前記第２回転規制部は、前記装着部材の前記ハウジングに対する前記周方向の回転動作に応じて、前記第１回転規制部を係止するように構成されている送風装置。
【請求項５】
請求項３または４に記載の送風装置であって、
前記第２回転規制部は、前記複数の係止位置に対応して、前記周方向において異なる複数の回転規制位置で、前記第１回転規制部を前記周方向に係止可能に構成されて
することを特徴とする送風装置。
【請求項６】
請求項１〜５の何れか１つに記載の送風装置であって、
前記装着部材を前記ハウジングに対して前記回転軸方向および前記周方向のうち少なくとも１つの方向に係止することで、前記ハウジングに対する前記装着部材の前記回転軸方向の移動および前記周方向の回転のうち少なくとも一方を規制するように構成された付加係止機構を更に備えたことを特徴とする送風装置。
【請求項７】
請求項１〜６の何れか１つに記載の送風装置であって、
前記ハウジングおよび前記装着部材の少なくとも一方は、指掛け用の突起または凹部を有することを特徴とする送風装置。
【請求項８】
請求項１〜７の何れか１つに記載の送風装置であって、
前記装着部材の色は、前記ハウジングの色とは異なることを特徴とする送風装置。
【請求項９】
衣服に着脱可能に構成された送風装置であって、
モータと、
前記モータによって回転駆動されるファンと、
前記モータおよび前記ファンを収容するハウジングと、
所定の動作線に沿って、前記ファンの回転軸方向、前記回転軸周りの周方向の順に前記ハウジングに対して相対移動されることで、前記ハウジングに対して取り外し可能に装着されるように構成された装着部材と、
前記ハウジングに設けられた第１挟持部と、
前記装着部材に設けられるとともに、前記装着部材が前記ハウジングに装着された場合に、前記ファンの回転軸方向に前記第１挟持部に対向配置され、前記第１挟持部との間で前記衣服の服地を挟持するように構成された第２挟持部と、
前記装着部材を前記ハウジングに対して前記回転軸方向に係止することで、前記ハウジングに対する前記装着部材の前記回転軸方向の移動を規制するように構成された係止機構とを備え、
前記係止機構は、
前記ハウジングおよび前記装着部材のうち一方に設けられた第１係止部と、
前記ハウジングおよび前記装着部材のうち他方に設けられた第２係止部であって、前記装着部材が前記周方向に相対移動される過程で前記第１係止部が通過可能な経路のうち、前記周方向に延在する部分にある少なくとも１つの係止位置で、前記第１係止部を前記回転軸方向に係止するように構成された第２係止部とを含むことを特徴とする送風装置。
【請求項１０】
請求項１〜９の何れか１つに記載の送風装置を着脱可能に構成された衣服。
【請求項１１】
請求項１０に記載の衣服であって、
前記送風装置と、
前記モータに電源を供給するバッテリと、
前記バッテリを装着可能、且つ、接続可能に構成されたバッテリホルダと、
前記バッテリホルダと前記モータとを接続可能に構成されたケーブルとを更に備えたことを特徴とする衣服。
【請求項１２】
請求項１１に記載の衣服であって、
前記送風装置は、前記モータに接続された装置側コネクタを備え、
前記ケーブルは、前記装置側コネクタに接続可能なケーブル側コネクタを備え、
前記ハウジングは、前記装置側コネクタに接続された場合に、前記ケーブル側コネクタが前記装置側コネクタから外れる方向に移動することを規制するように構成されたコネクタ規制部材を備えたことを特徴とする衣服。
【請求項１３】
請求項１０〜１２の何れか１つに記載の衣服であって、
前記送風装置は、係合部を備え、
前記衣服は、前記衣服に取り付けられた前記送風装置の前記係合部に係合することで、少なくとも前記ハウジングが前記衣服から脱落することを防止するように構成された脱落防止機構を更に備えたことを特徴とする衣服。
【発明の詳細な説明】
【技術分野】
【０００１】
本発明は、衣服に着脱可能な送風装置、および送風装置を着脱可能な衣服に関する。
【背景技術】
【０００２】
高温環境下での作業時等に作業者が着用する衣服に装着され、衣服内に送風することにより衣服内を通気する送風装置が知られている。例えば、特許文献１には、ファン本体部とリング状部材とを備えた送風装置が開示されている。作業者は、送風装置を衣服に装着する場合、衣服に設けられた開口部の周端部にファン本体部のフランジ部が当接するように、ファン本体部を外側から挿入する。更に、ファン本体部に対し、衣服の内側からファンの軸方向にリング状部材を嵌め込み、ファン本体部の係止部をリング状部材の突起に係合させる。これにより、送風装置は、フランジ部とリング状部材とで外側と内側から服地を挟んだ状態で、衣服に固定される。
【先行技術文献】
【特許文献】
【０００３】
【特許文献１】国際公開第２００７／０６１０８８号
【発明の概要】
【発明が解決しようとする課題】
【０００４】
上記送風装置では、係止部と突起とが係合されたときのフランジ部とリング状部材との隙間は一定である。このため、送風装置が装着される衣服の厚さによっては、送風装置が衣服に対して確実に固定されない可能性がある。一方で、作業者が着用する衣服の厚みは季節や作業環境によって異なることが多いため、異なる厚みを有する複数種類の衣服に対応可能な送風装置が望まれている。
【０００５】
本発明は、異なる厚みを有する複数種類の衣服に対応可能な送風装置に関する技術を提供することを課題とする。
【課題を解決するための手段】
【０００６】
本発明の一態様によれば、衣服に着脱可能に構成された送風装置が提供される。送風装置は、モータと、ファンと、ハウジングと、装着部材と、第１挟持部と、第２挟持部と、係止機構とを備えている。
【０００７】
ハウジングは、モータと、モータによって回転駆動されるファンとを収容する。装着部材は、所定の動作線に沿って、ハウジングに対して取り外し可能に装着されるように構成されている。第１挟持部は、ハウジングに設けられる一方、第２挟持部は、装着部材に設けられている。第２挟持部は、装着部材がハウジングに装着された場合に、ファンの回転軸方向に第１挟持部に対向配置され、第１挟持部との間で衣服の服地を挟持するように構成されている。
【０００８】
係止機構は、装着部材をハウジングに対してファンの回転軸方向に係止することで、ハウジングに対する装着部材の回転軸方向の移動を規制するように構成されている。係止機構は、ハウジングおよび装着部材のうち一方に設けられた第１係止部と、ハウジングおよび装着部材のうち他方に設けられた第２係止部とを含む。第２係止部は、ファンの回転軸方向において互いに異なる複数の係止位置のうち何れか１つにおいて、第１係止部を回転軸方向に係止するように構成されている。複数の係止位置の各々は、装着部材が動作線に沿ってハウジングに装着される過程で第１係止部が通過可能な経路上にある。
【０００９】
なお、ここでいう「回転軸方向において互いに異なる複数の係止位置」とは、回転軸方向に延在する同一直線上において互いに異なる位置にある場合と、回転軸方向においても回転軸に交差する方向においても異なる位置にある場合とを含みうる。また、「回転軸方向に係止する」とは、回転軸の延在方向のうち所定の一方向にのみ係止する場合と、回転軸の延在方向の両方向に係止する場合とを含みうる。少なくとも、装着部材とハウジングとが互いに離れる方向に係止することが好ましい。
【００１０】
本態様によれば、第２係止部は、第１係止部を、ファンの回転軸方向、つまり、服地を挟持する第１挟持部と第２挟持部との対向方向において、複数の係止位置のうち何れか１つにおいて係止することができる。よって、使用者は、装着される衣服の服地の厚みに応じて第２係止部に対する第１係止部の係止位置を選択することで、第１挟持部と第２挟持部によって適切に服地を挟持することができる。また、複数の係止位置は、使用者が所定の動作線に沿って装着部材をハウジングに装着する過程で、第１係止部が通過可能な所定の経路上にある。よって、使用者は、装着部材をハウジングに装着する一連の操作の中で、適切な係止位置で第１係止部を第２係止部に係止させればよい。つまり、係止位置を変えるために、装着部材をハウジングから一旦取り外して装着しなおす必要がない。このように、本態様の送風装置は、異なる厚みを有する複数種類の衣服に容易な操作で対応することができる。
【００１１】
本発明の一態様によれば、装着部材は、動作線に沿って、回転軸方向、回転軸周りの周方向の順にハウジングに対して相対移動されることで、ハウジングに装着されるように構成されていてもよい。そして、複数の係止位置は、第１部材が通過可能な経路のうち、周方向に延在する部分上にあってもよい。
【００１２】
本態様によれば、装着部材は、使用者によって、ハウジングに対して回転軸方向、周方向の順に２方向に操作され、ハウジングに装着される。第１係止部は、第２係止部に対して周方向に延在する部分にあるいずれかの係止位置で係止されるため、装着部材がハウジングから外れる可能性を抑制することができる。
【００１３】
本発明の一態様によれば、送風装置は、装着部材を前記ハウジングに対して周方向に係止することで、ハウジングに対する装着部材の回転を規制するように構成された回転規制機構を更に備えてもよい。回転規制機構は、ハウジングおよび装着部材のうち一方に設けられた第１回転規制部と、ハウジングおよび装着部材のうち他方に設けられた第２回転規制部を含んでもよい。第２回転規制部は、ハウジングおよび装着部材のうち他方に設けられ、第１回転規制部を周方向に係止するように構成されていてもよい。なお、ここでいう「周方向に係止する」とは、周方向のうち所定の一方向にのみ係止する場合と、周方向の両方向に係止する場合とを含みうる。少なくとも、装着部材がハウジングに装着される過程で周方向のうちの第１方向に相対移動される場合、第１方向とは反対の第２方向に係止することが好ましい。
【００１４】
本態様によれば、回転規制機構によって、装着部材がハウジングに対して周方向に回転することが規制されるため、装着部材がハウジングから外れる可能性を更に確実に抑制することができる。
【００１５】
本発明の一態様によれば、第２回転規制部は、装着部材のハウジングに対する周方向の回転動作に応じて、第１回転規制部を係止するように構成されていてもよい。本態様によれば、ハウジングに対する装着部材の装着過程で、使用者が装着部材を周方向に回転させると、第１回転規制部が第２回転規制部に係止される。使用者は、装着部材をハウジングに装着する操作のみで、係止機構および回転規制機構の両方を動作させることができる。
【００１６】
本発明の一態様によれば、第２回転規制部は、複数の係止位置に対応して、周方向において異なる複数の回転規制位置で、第１回転規制部を周方向に係止可能に構成されていてもよい。本態様によれば、第１係止部が複数の係止位置のうちいずれの位置で第２係止部に係止された場合でも、ハウジングに対する装着部材の回転を、回転規制機構によって適切に規制することができる。
【００１７】
本発明の一態様によれば、送風装置は、付加係止機構を更に備えていてもよい。付加係止機構は、装着部材をハウジングに対して回転軸方向および周方向のうち少なくとも一方係止することで、ハウジングに対する装着部材の回転軸方向の移動および周方向の回転のうち少なくとも一方を規制するように構成されていてもよい。本態様によれば、付加係止機構が係止機構（および回転規制機構）と併用されることで、併用された機構が何らかの理由で機能しなかった場合でも、付加係止機構がその機能を果たすことができるため、装着部材がハウジングから外れることをより確実に防止することができる。
【００１８】
本発明の一態様によれば、ハウジングおよび装着部材の少なくとも一方は、指掛け用の突起または凹部を有してもよい。この場合、使用者が装着部材をハウジングに着脱する際、容易に着脱操作を行うことができる。
【００１９】
本発明の一態様によれば、装着部材の色は、ハウジングの色とは異なっていてもよい。本態様によれば、使用者は、ハウジングと、ハウジングに対して着脱される装着部材とを視覚的に区別することができるため、着脱操作（特に、取り外し操作）がより容易となる。なお、装着部材およびハウジングは、夫々、全体が１色で形成されていてもよいし、一部に異なる色を含んでもよい。装着部材の一部と、ハウジングの一部の色が互いに異なる場合には、送風装置が衣服に装着された場合に、同じ方向から視認可能な部分の色が異なっていることが好ましい。また、装着部材の色は、ハウジングの色とのコントラストが明確な色であると好ましい。
【００２０】
本発明の一態様によれば、衣服に着脱可能に構成された送風装置が提供される。この送風装置は、モータと、ファンと、ハウジングと、装着部材と、第１挟持部と、第２挟持部と、係止機構とを備えている。
【００２１】
ハウジングは、モータと、モータによって回転駆動されるファンとを収容する。装着部材は、所定の動作線に沿って、ファンの回転軸方向、回転軸周りの周方向の順にハウジングに対して相対移動されることで、ハウジングに対して取り外し可能に装着されるように構成されている。第１挟持部は、ハウジングに設けられる一方、第２挟持部は、装着部材に設けられている。第２挟持部は、装着部材がハウジングに装着された場合に、ファンの回転軸方向に第１挟持部に対向配置され、第１挟持部との間で衣服の服地を挟持するように構成されている。
【００２２】
係止機構は、装着部材をハウジングに対して回転軸方向に係止することで、ハウジングに対する装着部材の回転軸方向の移動を規制するように構成されている。係止機構は、ハウジングおよび装着部材のうち一方に設けられた第１係止部と、ハウジングおよび装着部材のうち他方に設けられた第２係止部とを含む。第２係止部は、装着部材が周方向に相対移動される過程で第１係止部が通過可能な経路のうち、周方向に延在する部分にある少なくとも１つの係止位置で、第１係止部を回転軸方向に係止するように構成されている。
【００２３】
本態様によれば、ファンの回転軸方向、回転軸周りの周方向の順に、装着部材がハウジングに対して相対移動される過程で、第１係止部が、その経路のうち周方向に延在する部分にある係止位置で、第２係止部によって回転軸方向に係止される。よって、第１係止部が第２係止部に係止された後は、一旦両者が互いに周方向に移動しない限り、回転軸方向の係止が解除されることがない。かかる構成によって、装着部材がハウジングから外れる可能性を効果的に抑制することができる。なお、本態様において、係止位置は、１つのみが設けられてもよいし、複数が設けられてもよい。
【００２４】
本発明の一態様によれば、上述の各態様に係る送風装置を着脱可能に構成された衣服が提供される。かかる衣服は、上述の各態様に係る送風装置が装着されることで衣服内が通気可能となるため、使用者に快適な作業環境を提供することができる。
【００２５】
本発明の一態様によれば、衣服は、上述の各態様に係る送風装置と、モータに電源を供給するバッテリと、バッテリを装着可能、且つ、接続可能に構成されたバッテリホルダと、バッテリホルダとモータとを接続可能に構成されたケーブルとを更に備えていてもよい。本態様によれば、バッテリホルダとモータとをケーブルを介して接続することで、送風装置に対するバッテリおよびバッテリホルダの配置の自由度を高めることができる。なお、ここでいう「装着」とは、物理的な係合をいい、「接続」とは、電気的な接続をいう。
【００２６】
本発明の一態様によれば、送風装置は、モータに接続された装置側コネクタを備える一方、ケーブルは、装置側コネクタに接続可能なケーブル側コネクタを備えてもよい。そして、ハウジングは、装置側コネクタに接続された場合に、ケーブル側コネクタが装置側コネクタから外れる方向に移動することを規制するように構成されたコネクタ規制部材を備えていてもよい。本態様によれば、使用者が衣服を着用して作業を行っている最中に、ケーブルが送風装置から外れる可能性を低減することができる。
【００２７】
本発明の一態様によれば、送風装置は、係合部を備えていてもよい。また、衣服は、衣服に取り付けられた送風装置の係合部に係合することで、少なくともハウジングが衣服から脱落することを防止するように構成された脱落防止機構を更に備えていてもよい。本態様によれば、何らかの原因で第１挟持部と第２挟持部による服地の挟持が解除された場合でも、モータとファンを収容するハウジングが衣服から脱落し、送風装置が損傷するのを防止することができる。
【図面の簡単な説明】
【００２８】
【図１】上着の背面図である。
【図２】上着のファン取付け部の説明図である。
【図３】送風装置の斜視図である。
【図４】本体部からリング部材が取り外された状態の送風装置の斜視図である。
【図５】本体部の側面図である。
【図６】本体部の背面図である。
【図７】図５のＶＩＩ−ＶＩＩ線における断面図である。
【図８】バッテリおよびバッテリホルダの斜視図である。
【図９】ケーブルの平面図である。
【図１０】付加係止機構の斜視図である。
【図１１】係止突起が第１係止位置にあるときの送風装置の側面図である。
【図１２】図１１のＸＩＩ−ＸＩＩ線における断面図である。
【図１３】係止突起が第２係止位置にあるときの送風装置の側面図である。
【図１４】図１１のＸＩＶ−ＸＩＶ線における断面図である。
【図１５】変形例に係る送風装置の斜視図である。
【図１６】ケーブルが接続された状態の送風装置の正面図である。
【図１７】図１６のＸＶＩＩ−ＸＶＩＩ線における断面図である。
【図１８】変形例に係る上着の斜視図である。
【図１９】上着の内側の構成を示す説明図である。
【図２０】ファン保持ベルトが装着された送風装置の斜視図である。
【図２１】変形例の係止機構の説明図である。
【発明を実施するための形態】
【００２９】
以下、図面を参照して、本発明の実施形態について説明する。なお、以下の実施形態では、本発明に係る送風装置の一例として、送風装置１を例示する。また、送風装置を着脱可能な衣服として、上着９を例示する。
【００３０】
まず、図１および図２を参照して、本実施形態の送風装置１の使用態様について簡単に説明する。
【００３１】
図１に示すように、本実施形態の送風装置１は、例えば、上着９に装着されて使用される。図２に示すように、上着９は、作業着とも称される前開きで長袖の上衣であって、一般的には、下着やＴシャツ等の上に着用される。上着９は、背面部の下方（詳細には、着用時に使用者の腰周りの背中側を覆う部分）の２箇所に、送風装置１を取り付けるための取付け開口９１を有する。つまり、上着９には、２つの送風装置１が取り付け可能である。なお、取付け開口９１は、送風装置１のハウジング４の内側筒部４１（図４参照）の径と概ね同径に形成されている。以下、取付け開口９１の周縁部を、ファン取付け部９３ともいう。なお、ファン取付け部９３は、送風装置１を安定して取り付け可能とするために、補強材によって補強されていることが好ましい。
【００３２】
また、上着９（例えば、前面部（前身頃）の内側には、送風装置１の電源としてのバッテリ９５が装着されたバッテリホルダ９６を収容可能なポケット９４が設けられている。ポケット９４は、蓋９４１を有するフラップポケットとして構成されている。なお、蓋９４１は、面ファスナに比べて係合が解除されにくいフックボタン（スナップボタンともいう）９４３によって留め付け可能とされている。
【００３３】
送風装置１は、取付け開口９１に一部が挿入され、図１に示すように、吸気口４５７が上着９の外部を臨む状態で、上着９に装着される。送風装置１は、吸気口４５７を介して上着９の外部から空気を吸い込み、上着９の内部（使用者の側）へ向けて送出する。上着９の内部へ送出された空気は、使用者の身体を冷却しつつ上着９の内部を流れ、襟元や袖口から上着９の外部へ流出する。送風装置１の装着によって上着９内を通気可能とすることで、使用者は、快適な作業環境を得ることができる。
【００３４】
次に、図３および図４を参照して、送風装置１の概略構成について説明する。
【００３５】
図３および図４に示すように、送風装置１は、本体部３と、リング部材５とを備えている。本体部３は、ハウジング４と、ハウジング４に収容されたモータ３３（図７参照）およびファン３６（図７参照）とを主体として構成されている。ハウジング４は、ファン３６の形状に対応して、ファン３６の回転軸Ａ１方向からみて概ね円形の収容体として構成されている。ハウジング４の回転軸Ａ１方向における一端部には、径方向外側に突出するフランジ４３が形成されている。リング部材５は、全体としては、ハウジング４の外周部に着脱可能な短尺の円筒体として形成されている。リング部材５（より詳細には、後述の外側筒部５１）の中心軸Ａ２方向における一端部には、径方向外側に突出するフランジ５３が形成されている。
【００３６】
本実施形態では、送風装置１は、フランジ４３が上着９の外側に配置された状態で、本体部３のフランジ４３以外の部分が取付け開口９１から上着９の内部（つまり、使用者の背中に対向する側）に挿入され、所定の動作線に沿って、リング部材５が上着９の内部から本体部３の外周部に同軸状に嵌め込まれる。これにより、ハウジング４のフランジ４３とリング部材５のフランジ５３とによって上着９の服地（詳細には、取付け開口９１のファン取付け部９３）が挟持された状態で、送風装置１が上着９に対して装着される。本実施形態の送風装置１は、フランジ４３および５３の間の距離を、服地の厚みに応じて２段階で調節可能に構成されている。この点については、後で詳述する。
【００３７】
なお、以下の説明では、便宜上、送風装置１の方向に関しては、送風装置１が上着９に装着され、更に上着９が着用されたときの使用者の向きを基準として定義する。具体的には、ファン３６の回転軸Ａ１およびリング部材５の中心軸Ａ２の延在方向を前後方向、上着９の外側方向（つまり、ハウジング４のフランジ４３側）を後側、上着９の内側方向（つまり、リング部材５のフランジ５３側）を前側とする。このことから、以下では、ハウジング４のフランジ４３を後側フランジ４３ともいい、リング部材５のフランジ５３を前側フランジ５３ともいう。また、回転軸Ａ１および中心軸Ａ２周りの周方向に関しては、送風装置１を前側からみた場合を基準として、時計回り方向Ｄ１および反時計回り方向Ｄ２を規定する。
【００３８】
以下、送風装置１の本体部３およびリング部材５の詳細な構成について、順に説明する。
【００３９】
まず、図３〜図７を参照して、本体部３について説明する。上述のように、本体部３は、モータ３３と、ファン３６と、モータ３３およびファン３６を収容するハウジング４とを主体として構成されている。
【００４０】
図７に示すように、モータ３３およびファン３６は、ハウジング４内に、同軸状に配置されている。なお、本実施形態では、モータ３３として、ブラシを有する直流モータが採用されているが、モータ３３に代えて、小型で高出力なブラシレスモータが採用されてもよい。
【００４１】
ファン３６は、ベース部３６１と、３枚の羽根３６３とを備えた軸流ファンとして構成されている。ベース部３６１および羽根３６３は、樹脂によって一体成形されている。ベース部３６１は、有底円筒状に形成されており、モータシャフトに同軸状に取り付けられるとともに、モータ３３を覆うように配置されている。ファン３６は、モータ３３の駆動に伴って、回転軸Ａ１周りにモータシャフト（図示略）と一体的に回転される。なお、ファン３６の構成（ベース部３６１の形状や羽根３６３の数等）は、適宜変更されてもよい。
【００４２】
ここで、図８および図９を参照して、モータ３３の電源として使用されるバッテリ９５と、バッテリ９５を着脱可能なバッテリホルダ９６と、バッテリホルダ９６と送風装置１（詳細には、モータ３３）とを接続するケーブル９７について説明する。なお、バッテリ９５およびバッテリホルダ９６の構成は周知であるため、ここでは一部の構成については図示を省略しつつ、簡単に説明する。また、便宜上、図８の上下方向をバッテリ９５およびバッテリホルダ９６の上下方向とし、矢印が指す方向を後側、反対側を前側とする。
【００４３】
図８に示すように、バッテリ９５は、概ね直方体状に形成されている。バッテリ９５は、一対のガイドレール９５１と、端子（図示略）と、ラッチ（図示略）と、ボタン９５３とを有する。ガイドレール９５１は、バッテリ９５の側面上部にバッテリ９５の長手方向（前後方向）に延在するように設けられている。ラッチと端子は、バッテリ９５の上面に設けられている。ラッチは、バッテリ９５の後端部に、常時には上面から上方へ突出するようにバネ（図示せず）で付勢され、バッテリ９５の前端部の側面に設けられたボタン９５３の押圧操作で上面から下方へ引っ込むように構成されている。端子は、ラッチに隣接してバッテリ９５の上面に設けられている。
【００４４】
図８に示すように、バッテリホルダ９６は、概ね直方体状に形成されている。バッテリホルダ９６は、バッテリ９５を装着可能、且つ、電気的に接続可能に構成されている。図示は省略するが、バッテリホルダ９６は、一対のガイド溝と、ラッチ係合部と、端子とを有する。ガイド溝は、バッテリホルダ９６の長手方向（前後方向）に延在し、バッテリ９５のガイドレール９５１にスライド係合可能に構成されている。ラッチ係合部は、上方へ凹んだ凹部であって、バッテリ９５のラッチが係合可能に構成されている。端子は、ラッチがラッチ係合部に係合することでバッテリ９５がバッテリホルダ９６に物理的に係合されるのに伴い、バッテリ９５の端子と電気的に接続するように構成されている。なお、バッテリ９５は、バッテリホルダ９６に対し、図８に矢印で示すように、バッテリホルダ９６のラッチが設けられた後端部（つまり、ボタン９５３が設けられた側と反対側）から装着される。
【００４５】
なお、本実施形態のバッテリ９５は、各種の電動工具（スクリュードライバ、ハンマドリル等）に装着されて、電動工具の電源としても使用可能とされている。
【００４６】
バッテリホルダ９６の上面には、弾性を有するクリップ９６２が設けられている。使用者は、上述のように、バッテリホルダ９６に装着された状態のバッテリ９５を、上着９のポケット９４（図２参照）に収容することもできるし、クリップ９６２でベルト等に取り付けることもできる。更に、バッテリホルダ９６の前面には、操作部９６４と、ケーブル９６６が設けられている。操作部９６４には、モータ３３の駆動開始および停止やモータ３３の回転数の調整のためのボタン、風量の表示ランプ等が配置されている。なお、本実施形態では、モータ３３の駆動制御を行うコントローラ（典型的には、制御回路）は、バッテリホルダ９６に搭載されている。バッテリホルダ９６の前面から延出されたケーブル９６６は、一端にコネクタ（プラグ）９６７を有する。なお、操作部９６４は、バッテリホルダ９６とは別体として設けられていてもよいし、コントローラも、ハウジング４内に収容されてもよいし、送風装置１とは別体の操作部に搭載されてもよい。
【００４７】
図９に示すように、本実施形態では、ケーブル９７は、二股状のケーブルとして構成されており、一端にコネクタ（ジャック）９７１を有し、二股に分かれた他端の各々に、コネクタ（プラグ）９７３を有する。コネクタ９７１は、バッテリホルダ９６のケーブル９７のコネクタ９６７に係合可能、且つ、接続可能に構成されている。コネクタ９７３は、後述するコネクタ(ジャック）３７に係合可能、且つ、電気的に接続可能に構成されている。
【００４８】
以下、本体部３の説明に戻る。図５に示すように、ハウジング４は、リング部材５が取り付けられる内側筒部４１と、上述の後側フランジ４３と、吸気口４５７が形成された吸気部４５と、排気口４６７が形成された排気部４６とを含む。なお、本実施形態では、内側筒部４１と排気部４６とは、一部材として、樹脂によって一体的に形成されている。また、吸気部４５と後側フランジ４３とは、一部材として、樹脂によって一体的に形成されている。両部材が組み付けられることで、単一の収容体としてのハウジング４が形成される。なお、モータ３３、ファン３６を含む内部部品が収容された状態で、ハウジング４がこのように組み立てられることで、本体部３が形成されている。
【００４９】
内側筒部４１は、円筒状に形成されており、ファン３６の回転軸Ａ１を中心軸として、モータ３３およびファン３６（図７参照）と同軸状に配置されている。内側筒部４１の外周面には、リング部材５を回転軸Ａ１方向および回転軸Ａ１周りの周方向において係止するための構成が設けられているが、この点については、後で詳述する。
【００５０】
図５および図６に示すように、吸気部４５は、内側筒部４１に対し、回転軸Ａ１方向においてファン３６の吸気側の端部（具体的には、後端部）を覆うように配置されている。吸気部４５は、回転軸Ａ１方向からみて全体として円形に形成されており、閉塞部４５１と、第１リブ４５３と、第２リブ４５５とを含む。なお、吸気部４５の径は、内側筒部４１の内径と概ね同じである。
【００５１】
図６に示すように、閉塞部４５１は、吸気部４５の中心部に、回転軸Ａ１に概ね直交するように配置された部位である。閉塞部４５１は、図１に示すように、上着９の外側に配置される面部であることから、意匠を配するのに適した面部であるといえる。そこで、本実施形態では、閉塞部４５１は意匠面として構成されている。具体的には、閉塞部４５１は、多角形状（本実施形態では六角形状）にデザインされている。なお、閉塞部４５１の後面（図６で図示された面）に、更に意匠が配されていてもよい。第１リブ４５３は、円弧状に形成されており、閉塞部４５１から放射状に延びる。第２リブ４５５は、閉塞部４５１の外形（多角形）に対応する形状に形成され、吸気部４５の径方向中央部に配置されて、第１リブ４５３を接続する。
【００５２】
なお、本実施形態では、第１リブ４５３は、径方向外側へ向けて反時計回り方向Ｄ２（図６における時計回り方向）に傾斜するように配置されている。これは、ファン３６の回転方向である時計回り方向Ｄ１の逆方向である。第１リブ４５３をこのように配置することで、単に径方向に直線状に延在するように配置した場合に比べ、ファン３６の風量が低下した場合のファン３６の効率の低下を抑制することができる。
【００５３】
後側フランジ４３は、吸気部４５の外周から径方向外側に突出するように設けられている。本実施形態では、吸気部４５の第１リブ４５３および第２リブ４５５の間に形成された開口が、吸気口４５７を構成する。各吸気口４５７は、回転軸Ａ１方向に貫通しており、ファン３６が回転されると、吸引された空気は、吸気口４５７を通ってハウジング４内へ後方から前方へ向けて流入する。
【００５４】
図５および図６に示すように、後側フランジ４３の後面には、指掛け凹部４３２が設けられている。指掛け凹部４３２は、使用者が指を掛けてハウジング４を把持したり、回転軸Ａ１周りに回転させたり、回転しないように押えたりすることを容易にするための凹部である。なお、指掛け凹部４３２には、指掛け凹部４３２に配置された指の滑り止めとして、周方向に交差する方向（径方向）に延びる短い突状４３３が複数設けられている。
【００５５】
図３および図５に示すように、排気部４６は、内側筒部４１に対し、回転軸Ａ１方向においてファン３６の排気側の端部（具体的には、前端部）を覆うように配置されている。排気部４６は、全体としては、回転軸Ａ１方向において内側筒部４１の前端部から離れる方向（前方）に突出する円形ドーム状に形成されており、閉塞部４６１と、第１リブ４６３と、第２リブ４６４と、第３リブ４６５とを含む。
【００５６】
図３に示すように、閉塞部４６１は、回転軸Ａ１に概ね直交するように、前端部の中心に配置された円形の部位である。閉塞部４６１の径は、内側筒部４１の内径の半分程度とされている。第１リブ４６３は、閉塞部４６１から放射状に延びる。第２リブ４６４は、環状に形成され、第１リブ４６３の径方向外側の端部を接続する。第３リブ４６５は、周方向に等間隔で配置され、第２リブ４６４と内側筒部４１の前端部を円弧状に接続する。本実施形態では、排気部４６の第１リブ４６３、第２リブ４６４、第３リブ４６５の間に形成された開口が、排気口４６７を構成する。各排気口４６７は、回転軸Ａ１方向に貫通しており、ファン３６が回転されると、吸気口４５７からハウジング４内へ流入した空気は、排気口４６７を通って後方から前方へ向けて流出する。なお、排気口４６７のうち、第３リブ４６５の間に形成された排気口４６７は、回転軸Ａ１に交差する方向にも貫通している。よって、吸気口４５７からハウジング４内へ流入した空気は、排気口４６７を通って回転軸Ａ１に交差する方向にも流出する。
【００５７】
図３に示すように、排気部４６の周方向における一部には、第１リブ４６３〜第３リブ４６５が設けられない領域が設けられている。この領域は、上述のケーブル９７のコネクタ（プラグ）９７３（図９参照）が配置されるコネクタ配置領域３８を構成する。コネクタ配置領域３８に対して回転軸Ａ１側には、モータ３３に電気的に接続されたコネクタ（ジャック）３７が配置されている。コネクタ３７は、回転軸Ａ１に直交する方向に（本体部３の径方向に）、ケーブル９７のコネクタ９７３が抜き差しされるように配置されている。
【００５８】
また、ハウジング４には、コネクタ９７３が径方向外側（言い換えると、コネクタ９７３がコネクタ３７から外れる方向）に移動することを規制するように構成された規制リブ３８１が設けられている。規制リブ３８１は、コネクタ配置領域３８に対して径方向外側に設けられ、コネクタ配置領域３８に配置されたコネクタ９７３に当接可能に構成されたリブ（壁部）である。規制リブ３８１は、径方向外側からコネクタ９７３に当接することで、コネクタ９７３がコネクタ３７から外れるのを防止することができる。これにより、送風装置１が取り付けられた上着９を着用しての作業中に使用者が動くことで、ケーブル９７が動かされた場合に、ケーブル９７が送風装置１から外れてしまう可能性を低減することができる。なお、コネクタ９７３がコネクタ３７に接続された状態は、後述の変形例に対応する図１６および図１７に示されている。  
【００５９】
以下、図３および図４を参照して、リング部材５について説明する。図４に示すように、リング部材５は、外側筒部５１と、上述の前側フランジ５３と、指掛け突起５５とを含む。なお、本実施形態では、外側筒部５１、前側フランジ５３、および指掛け突起５５は、樹脂によって一体的に形成されている。なお、本実施形態では、リング部材５は、ハウジング４とは異なる色の樹脂で形成されている。具体的には、コントラストが明確な色が採用されており、リング部材５は、概ね全体が緑色で形成される一方、ハウジング４は、概ね全体が白色で形成されている。
【００６０】
外側筒部５１は、ハウジング４の内側筒部４１に外嵌される部位である。そこで、外側筒部５１は、ハウジング４の内側筒部４１の外径よりも概ね同一の内径を有する短尺状の円筒体として形成されている。
【００６１】
前側フランジ５３は、上述のように、前後方向（回転軸Ａ１方向）においてハウジング４の後側フランジ４３に対向し、後側フランジ４３との間で上着９の取付け開口９１のファン取付け部９３を挟持する部位である。前側フランジ５３は、外側筒部５１の中心軸Ａ２方向における一端部（具体的には、後端部）から径方向外側に突出するように設けられている。なお、本実施形態では、前側フランジ５３の外径は、ハウジング４の後側フランジ４３の外径と概ね同一に設定されている。
【００６２】
指掛け突起５５は、使用者が指を掛けてリング部材５を把持したり、中心軸Ａ２周りに回転させたり、回転しないように押えたりすることを容易にするための突起である。本実施形態では、指掛け突起５５は、略三角板状に形成されており、その二辺が外側筒部５１の外周面と後側フランジ５３の前面に連結され、板面が中心軸Ａ２の周方向に交差するように設けられている。本実施形態では、指掛け突起５５は、複数設けられており、周方向に互いに離間して配置されている。
【００６３】
図４に示すように、上述のように構成された送風装置１は、更に、係止機構６と、回転規制機構７と、付加係止機構８とを備えている。係止機構６は、リング部材５をハウジング４に対して回転軸Ａ１方向（中心軸Ａ２方向）に係止することで、ハウジング４に対するリング部材５の回転軸Ａ１方向の移動を規制するように構成された機構である。回転規制機構７は、リング部材５をハウジング４に対して回転軸Ａ１周りの周方向に係止することで、ハウジング４に対するリング部材５の回転を規制するように構成された機構である。付加係止機構８は、係止機構６および回転規制機構７に加え、ハウジング４に対するリング部材５の回転軸Ａ１方向の移動、および、回転軸Ａ１周りの回転を規制するように構成された機構である。以下、これらの機構の構成について、順に説明する。
【００６４】
まず、図４〜図７、および図１２を参照して、係止機構６の構成について説明する。本実施形態では、係止機構６は、ハウジング４の内側筒部４１に設けられたガイド溝６１と、リング部材５の外側筒部５１に設けられた係止突起６６とを含む。
【００６５】
図４および図５に示すように、ガイド溝６１は、内側筒部４１の外周面から径方向内側に凹むように形成された溝である。ガイド溝６１は、全体としては略Ｌ字状に形成されており、第１部分６１１と第２部分６１４とを含む。第１部分６１１は、ガイド溝６１のうち、内側筒部４１の前端（回転軸Ａ１方向において、排気部４６側）から後側フランジ４３まで回転軸Ａ１方向に延びる部分である。第２部分６１４は、ガイド溝６１のうち、第１部分６１１の後側部分から連続して周方向に（詳細には、時計回り方向Ｄ１に）延びる部分である。本実施形態では、ガイド溝６１は、リング部材５がハウジング４に対して着脱される過程で、後述するリング部材５の係止突起６６（図４参照）が通過可能な経路を規定する溝として構成されている。具体的には、リング部材５がハウジング４に対して着脱される過程で、係止突起６６は、ガイド溝６１内に挿入され、ガイド溝６１に沿って案内される。
【００６６】
第１部分６１１の前端は、リング部材５の係止突起６６をガイド溝６１へ受け入れる受入口６１２を構成する。第２部分６１４の前端を規定する壁面（つまり、内側筒部４１の外周面から溝の底まで径方向内側に伸展する面部）は、周方向に（詳細には、時計回り方向Ｄ１に）延在しつつ、後側フランジ４３に向けて後方に僅かに傾斜している。この壁面を、ガイド面６１５という。
【００６７】
ガイド面６１５の周方向における中間部には、回転軸Ａ１に概ね直交する面である第１係止部６１６が形成されている。時計回り方向Ｄ１において、第１係止部６１６の下流側の端（図５の下端）には、僅かな後方（図５の右方）への段差６１８が設けられている。ガイド面６１５は、段差６１８から更に下流側へ僅かに傾斜しつつ延びている。
【００６８】
ガイド面６１５の終端部（つまり、第１部分６１１から最も離れた端部）には、回転軸Ａ１に概ね直交する面である第２係止部６１７が形成されている。つまり、第２係止部６１７は、第１係止部６１６よりも時計回り方向Ｄ１において下流側に配置されている。また、回転軸Ａ１方向（つまり、前側フランジ５３と後側フランジ４３の対向方向、前後方向）において、第２係止部６１７は、第１係止部６１６に対して異なる位置にある。より詳細には、回転軸Ａ１方向において、第２係止部６１７は、第１係止部６１６よりも後側フランジ４３に近い位置（より後方）にある。つまり、回転軸Ａ１方向における第２係止部６１７と後側フランジ４３との間の距離は、第１係止部６１６と後側フランジ４３との間の距離よりも短い。
【００６９】
図４に示すように、係止突起６６は、リング部材５の外側筒部５１の内周面から径方向内側に突出するように設けられている。本実施形態では、係止突起６６は、直方体状の突起として、外側筒部５１の後端に、外側筒部５１と一体的に形成されている。上述のように、係止突起６６はガイド溝６１内を案内されるため、係止突起６６は、ガイド溝６１内に挿入可能なサイズに設定されている。
【００７０】
なお、図７に示すように、本実施形態では、３つのガイド溝６１が、内側筒部４１の周方向において３箇所に等間隔で設けられている。また、図１２に示すように、３つの係止突起６６が、外側筒部５１の周方向において３箇所に等間隔で設けられている。
【００７１】
更に、図４に示すように、ハウジング４には、３つのガイド溝６１のうち１つの第１係止部６１６および第２係止部６１７に夫々対応する位置に、第１位置マーク６２１および第２位置マーク６２７が付されている。第１位置マーク６２１および第２位置マーク６２７は、内側筒部４１にリング部材５が外嵌された場合でも隠されない部分である内側筒部４１の前端面に設けられている。本実施形態では、第１位置マーク６２１および第２位置マーク６２７は、夫々、頂点の１つが径方向外側に向けられた正三角形のマークとして構成されている。第１位置マーク６２１および第２位置マーク６２７は、内側筒部４１にリング部材５が外嵌された場合でも、前方から第１係止部６１６および第２係止部６１７の位置を容易に認識できるようにする目印である。
【００７２】
一方、リング部材５には、３つの係止突起６６のうち１つに対応する位置に、基準突起マーク６３が付されている。基準突起マーク６３は、内側筒部４１にリング部材５が外嵌された場合でも隠されない部分である外側筒部５１のフランジ状の前端面に設けられている。本実施形態では、基準突起マーク６３は、頂点の１つが径方向内側に向けられた正三角形のマークとして構成されている。基準突起マーク６３は、内側筒部４１にリング部材５が外嵌された場合でも、前方から（つまり、第１位置マーク６２１および第２位置マーク６２７を視認可能な方向から）係止突起６６の位置を容易に認識できるようにする目印である。
【００７３】
基準突起マーク６３は、上述の第１位置マーク６２１および第２位置マーク６２７と協働して、ハウジング４に対するリング部材５の位置合わせ用の目印として機能する。なお、第１位置マーク６２１および第２位置マーク６２７が、３つあるガイド溝６１のうち１つのみに対応して設けられ、基準突起マーク６３が３つある係止突起６６のうち１つのみに対応して設けられているのは、後述する付加係止機構８が周方向において１箇所にのみに設けられていることに起因する。ハウジング４に対するリング部材５の位置合わせについては、後で詳述する。
【００７４】
次に、図４、図７および図１２を参照して、回転規制機構７の構成について説明する。本実施形態では、回転規制機構７は、ハウジング４の内側筒部４１に設けられた回転係止部７１と、リング部材５の外側筒部５１に設けられた係止片７５とを含む。
【００７５】
本実施形態では、回転係止部７１は、第１凹部７１１および第２凹部７１６を含む。第１凹部７１１および第２凹部７１６は、いずれも内側筒部４１の外周面から径方向内側に凹むように形成された凹部であって、後述する係止片７５を周方向に係止するように構成されている。
【００７６】
図４に示すように、第１凹部７１１は、後側フランジ５３から前方へ向けて内側筒部４１の前端の近傍まで延在する凹部として設けられている。また、図７に示すように、第１凹部７１１は、回転軸Ａ１に直交する断面がＶ字状に形成されている。第１凹部７１１を規定する２面のうち、時計回り方向Ｄ１において上流側の面７１２は、概ね径方向に延在する一方、下流側の面７１３は、面７１２と内側筒部４１の外周面とを緩やかに傾斜しながら接続する。面７１２は、後述する係止片７５の爪７５１と係合する係合面として機能する。また、面７１３は、第１凹部７１１内に配置された爪７５１の時計回り方向Ｄ１への離脱を案内するガイド面として機能する。
【００７７】
図４に示すように、第２凹部７１６は、時計回り方向Ｄ１において第１凹部７１１の下流側、且つ、回転軸Ａ１方向において内側筒部４１の概ね中央部に、側面視矩形状の凹部として設けられている。また、図７に示すように、第２凹部７１６は、回転軸Ａ１に直交する断面も矩形状に形成されている。第２凹部７１６を規定する３面のうち、時計回り方向において最上流側の面７１７は、概ね径方向に延在し、係止片７５の爪７５１と係合する係合面として機能する。更に、図５に示すように、第２凹部７１６の前端部は、第１凹部７１１の前端部よりも内側筒部４１の前端から離間した位置にある。
【００７８】
なお、回転軸Ａ１方向（前後方向）において、第１凹部７１１の前端と第２凹部７１６の前端の間の距離は、ガイド溝６１の第１係止部６１６と第２係止部６１７の間の距離に対応している。また、時計回り方向Ｄ１において、第１凹部７１１の上流側の端と第２凹部７１６の上流側の端の間の距離は、ガイド溝６１の第１係止部６１６の下流側の端と第２係止部６１７の下流側の端の間の距離に対応している。
【００７９】
図４および図５に示すように、内側筒部４１の前端部には、時計回り方向Ｄ１において第１凹部７１１の上流側に、ガイド凹部７３が設けられている。ガイド凹部７３は、第１凹部７１１および第２凹部７１６と比べて浅い凹部であって、前端の中央部が最も深くなるように、全体が湾曲面によって規定されている。ガイド凹部７３は、後述する係止片７５（詳細には、爪７５１）を受け入れ、内側筒部４１の外周面へと案内する。
【００８０】
なお、本実施形態では、時計回り方向Ｄ１において、上流側から順に、ガイド凹部７３、第１凹部７１１、第２凹部７１６が配置されている。更に、ガイド凹部７３、第１凹部７１１、第２凹部７１６を１組として、３組のガイド凹部７３、第１凹部７１１、第２凹部７１６が、夫々、上述の３つのガイド溝６１の間に配置されている。
【００８１】
図４に示すように、係止片７５は、可撓性を有する帯状部材として、リング部材５の外側筒部５１の周方向に延在するように、外側筒部５１と一体的に形成されている。係止片７５は、時計回り方向Ｄ１における上流側端部が外側筒部５１に接続されており、外側筒部５１に対して径方向に撓むことができる。図１２に示すように、係止片７５の時計回り方向Ｄ１における下流側端部（先端部）の内面（中心軸Ａ２側の面）には、径方向内側に突出する爪７５１が設けられている。係止片７５は、爪７５１を介して上述の第１凹部７１１および第２凹部７１６に係止可能に構成されている。また、係止片７５の先端部には、径方向外側へ突出するタブ７５６が設けられている。タブ７５６は、使用者が、反時計回り方向Ｄ２に指で押圧操作すること、または、指で摘んで操作することができるように構成されており、爪７５１の第１凹部７１１（面７１２）または第２凹部７１６（面７１７）に対する係合を解除するのに使用される。
【００８２】
なお、周方向において、上述の基準突起マーク６３に対応する係止突起６６と、係止片７５の爪７５１との間の距離は、第１位置マーク６２１および第２位置マーク６２７に対応するガイド溝６１の受入口６１２と、時計回り方向Ｄ１において、そのガイド溝６１の上流側の最も近くにあるガイド凹部７３との間の距離に対応している。
【００８３】
以下、図４および図１０を参照して、付加係止機構８の構成について説明する。本実施形態では、付加係止機構８は、ハウジング４の内側筒部４１の前側に設けられた留め具８１と、リング部材５の外側筒部５１に設けられた留め具保持部８３とを含む。
【００８４】
図１０に示すように、留め具８１は、Ｕ字状に形成された金属製部材として構成されている。留め具８１の両端部は、内側筒部４１の前端面（排気部４６の外周部）に設けられた直方体状のベース８１１に支持されている。留め具８１は、概ね周方向に延在する回動軸を中心として、回転軸Ａ１方向（前後方向）に回動可能とされている。より詳細には、留め具８１は、図４に示す解除位置と、図１０に示す固定位置との間で回動可能である。解除位置では、留め具８１は、回転軸Ａ１方向からみて内側筒部４１の外径よりも径方向内側に配置される。よって、留め具８１が解除位置に配置されている場合には、リング部材５を内側筒部４１の外周部に着脱することが可能である。一方、固定位置では、留め具８１は、回転軸Ａ１方向からみて内側筒部４１の外径よりも径方向外側に突出するように配置される。
【００８５】
図４に示すように、留め具保持部８３は、時計回り方向Ｄ１において上流側に配置された第１保持部８３１と、下流側に配置された第２保持部８３６とを含む。なお、時計回り方向Ｄ１において、第１保持部８３１の上流側の端と第２保持部８３６の上流側の端の間の距離は、ガイド溝６１の第１係止部６１６の下流側の端と第２係止部６１７の下流側の端の間の距離に対応している。
【００８６】
第１保持部８３１および第２保持部８３６は何れも一対の係止片で構成されている。一対の係止片は、外側筒部５１と一体的に形成され、周方向に互いに離間して、外側筒部５１の前端から前方へ突出するように設けられている。一対の係止片は、周方向の可撓性を有するとともに、前端部（先端部）に、互いから離間する方向に突出する爪を備え、留め具８１を保持可能に構成されている。具体的には、一対の係止片は、周方向に互いに近接する方向に外力を加えて撓ませた場合には、留め具８１に挿通可能となる。一対の係止片が初期位置に復帰すると、先端部の爪が、留め具８１を離脱不能に保持する。
【００８７】
以上の構成を有する送風装置１は、使用者によって、上着９（図１および図２参照）に取り付けられて使用される。なお、送風装置１は、上着９以外にも、ファン取付け部９３（図２参照）を有する衣服に着脱可能である。本実施形態の送風装置１は、上述の係止機構６、回転規制機構７、および付加係止機構８によって、様々な厚みの衣服に対応可能とされている。
【００８８】
以下、図２、図４および図１０〜図１４を参照して、衣服（例えば、上着９）への着脱時の送風装置１の作用（特に、係止機構６、回転規制機構７、および付加係止機構８の作用）について、詳細に説明する。
【００８９】
送風装置１を上着９に装着する場合には、使用者はまず、図４に示すようにリング部材５が取り外された状態の本体部３の一部を、上着９の取付け開口９１（図２参照）に挿入する。具体的には、後側フランジ４３を後身頃（ファン取付け部９３）の外側に配置し、内側筒部４１と排気部４６を取付け開口９１から上着９の内側へ挿入する。これにより、後側フランジ４３の前面には、ファン取付け部９３（服地）が配置された状態となる。
【００９０】
本実施形態の送風装置１は、リング部材５がハウジング４に対して所定の動作線に沿って装着されるように構成されている。なお、「動作線」とは、リング部材５がハウジング４に対して装着されるときに辿る動線、または操作線のことをいう。あるいは、リング部材５がハウジング４に対して装着されるときの装着方向と言い換えることもできる。動作線は、典型的には、所定方向への直線状または曲線状の動作、あるいは、かかる動作が複数組み合わされたものとして表される。
【００９１】
本実施形態では、リング部材５は、回転軸Ａ１方向、回転軸Ａ１周りの周方向の順に組み合わせられた動作線に沿って、ハウジング４に装着される。つまり、リング部材５は、回転軸Ａ１方向にハウジング４に対して相対移動され、その後、周方向に相対移動されることで、ハウジング４に装着される。より詳細には、リング部材５は、回転軸Ａ１方向にハウジング４に対して近接する方向（言い換えると、前側フランジ５２が後側フランジ４３に近づく方向）に相対移動され、その後、時計回り方向Ｄ１に相対移動されることで、ハウジング４に装着される。
【００９２】
なお、上述の「回転軸Ａ１方向、周方向の順に」とは、回転軸方向および周方向に対してある程度の変動は許容しつつも、リング部材５のハウジング４に対する移動が、全体的にみて、回転軸Ａ１方向、周方向の順に行われることを意味する。つまり、リング部材５の回転軸Ａ１方向への相対移動は、周方向への若干の相対移動を伴ってもよいし、リング部材５の周方向への相対移動は、回転軸Ａ１方向への若干の相対移動を伴ってもよい。また、回転軸Ａ１方向から周方向への移行は、急激な角度変化を伴う移行として行われてもよいし、緩やかに連続する移行として行われてもよい。
【００９３】
取り外し時には、リング部材５は、動作線を装着時とは反対方向に辿ることになる。つまり、リング部材５は、ハウジング４に対して周方向に相対移動され、その後、回転軸Ａ１方向に相対移動される。より詳細には、リング部材５は、反時計回り方向Ｄ２に相対移動され、その後、回転軸Ａ１方向にハウジング４から離れる方向（言い換えると、前側フランジ５２が後側フランジ４３から離れる方向）に相対移動されることで、ハウジング４から取り外される。
【００９４】
上述のように、外側筒部５１の内径は、内側筒部４１の外径と概ね同一であるため、使用者は、係止突起６６を３つの受入口６１２のうちいずれか１つに位置合わせしない限り、リング部材５をハウジング４の内側筒部４１の外周部に嵌め込むことはできない。そこで、使用者は、まず、リング部材５をハウジング４に対して周方向に位置合わせする。
【００９５】
具体的には、使用者は、片方の手で上着９の外側の後側フランジ４３を把持し、もう一方の手でリング部材５を把持して、リング部材５の基準突起マーク６３を、時計回り方向Ｄ１において、内側筒部４１の第１位置マーク６２１の上流側で最も近くにある受入口６１２に位置合わせする。位置合わせがなされると、基準突起マーク６３に対応する係止突起６６は、受入口６１２（図５参照）から回転軸Ａ１方向にガイド溝６１に進入可能となる。他の２つの係止突起６６も、夫々、他の２つの受入口６１２を介してガイド溝６１に進入可能となる。また、係止片７５の爪７５１は、ガイド凹部７３に進入可能となる。なお、このとき、付加係止機構８の留め具８１は、解除位置に配置された状態とされる。
【００９６】
使用者は、リング部材５をハウジング４に対して後方へ移動する。係止突起６６がガイド溝６１のうち第１部分６１１に沿って案内されることで、リング部材５は、ハウジング４に対して回転軸Ａ１方向に後方へ装着案内される。
【００９７】
係止突起６６が第２部分６１４の位置まで後方へ移動されると、回転軸Ａ１方向に加え、リング部材５のハウジング４に対する時計回り方向Ｄ１の移動が可能となる。使用者は、リング部材５をハウジング４に対して時計回り方向Ｄ１に回転させ、係止突起６６を第２部分６１４に進入させる。なお、係止突起６６が第１部分６１１から第２部分６１４へ進入するのに伴い、係止片７５の爪７５１は、ガイド凹部７３を規定する湾曲面に沿ってガイド凹部７３から離脱する。係止片７５が径方向外側に撓んだ状態で、爪７５１は、内側筒部４１の外周面に沿って時計回り方向Ｄ１に移動する。
【００９８】
係止突起６６が第２部分６１４内に配置されている場合、係止突起６６は、ガイド面６１５によって回転軸Ａ１方向において前方への移動が規制される。一方、回転軸Ａ１方向（前後方向（図１１の左右方向）において、ガイド溝６１の第２部分６１４の幅は、係止突起６６の幅よりも大きいため、ガイド面６１５と後側フランジ４３の間で、ある程度の後方への移動が許容されている。但し、許容される移動範囲は、後側フランジ４３の前側に配置されたファン取付け部９３（服地）の厚みに応じて変動する。
【００９９】
使用者は、上着９のファン取付け部９３の厚みに応じて、係止突起６６が、図１１に示す第１係止位置、または図１３に示す第２係止位置に配置されるまで、リング部材５を時計回り方向Ｄ１に回動させることができる。第１係止位置とは、係止突起６６の前端（図１１の左端）が、第１係止部６１６に当接する位置である。なお、係止突起６６は、第１係止位置において、時計回り方向Ｄ１における下流側の端が、第１係止部６１６の下流側に形成された段差６１８に当接する。第２係止位置は、係止突起６６の前端（図１３の左端）が、第２係止部６１７に当接する位置である。なお、係止突起６６は、第２係止位置において、時計回り方向Ｄ１における下流側の端が、第２部分６１４の下流側の端に当接する。よって、使用者は、係止突起６６の前端面がガイド面６１５に沿って時計回り方向Ｄ１に移動するようにリング部材５を回動させることで、係止突起６６を第１係止位置または第２係止位置まで容易且つスムーズに移動させることができる。
【０１００】
係止突起６６が第１係止位置に配置されたときの前側フランジ５３と後側フランジ４３との間の対向方向（つまり、回転軸Ａ１方向、前後方向（図１１における左右方向）における距離Ｗ１（図１１参照）は、係止突起６６が第２係止位置に配置されたときの前側フランジ５３と後側フランジ４３との間の距離Ｗ２（図１３参照）よりも大きい。前側フランジ５３と後側フランジ４３との間の距離は、前側フランジ５３と後側フランジ４３とで挟持可能なファン取付け部９３（服地）の厚みに対応する。よって、使用者は、上着９が比較的厚地の素材で製造されている場合には、係止突起６６が第１係止位置に配置されるまでリング部材５を回動させ、上着９が比較的薄地の素材で製造されている場合には、係止突起６６が第２係止位置に配置されるまでリング部材５を回動させればよい。
【０１０１】
係止突起６６が第１係止位置に配置されると、図４に示す基準突起マーク６３は、内側筒部４１の第１位置マーク６２１に対向する位置に配置される。これにより、使用者は、係止突起６６が第１係止位置に配置されたことを容易に認識することができる。図１２に示すように、係止突起６６が第１係止位置に配置されるのとあわせて、係止片７５の爪７５１は、係止片７５の復元力で第１凹部７１１内に入り込み、面７１２に係合する。これにより、係止片７５は、第１凹部７１１によって係止される。また、図４に示す留め具８１は、第１保持部８３１に対向する位置に配置される。
【０１０２】
ファン取付け部９３の厚みが距離Ｗ１と比較的近い場合には、係止突起６６が第１係止位置に配置されると、ファン取付け部９３は、前側フランジ５３と後側フランジ４３の間で安定的に挟持される。係止突起６６が前方で第１係止部６１６に係止されることで、回転軸Ａ１方向において、リング部材５がハウジング４から離れる方向（言い換えると、前側フランジ５２が後側フランジ４３から離れる方向）に移動することが規制される。また、係止片７５が第１凹部７１１に周方向に係止されることで、リング部材５が周方向（特に、反時計回り方向Ｄ２）に回転することが規制される。更に、図１０に示すように、使用者が留め具８１を固定位置へ回動させて第１保持部８３１に係合させると、リング部材５がハウジング４から離れる方向に移動することと、リング部材５が周方向に回転することが規制される。これにより、リング部材５がハウジング４に対して安定的に固定され、送風装置１が上着９に確実に装着される。
【０１０３】
一方、上着９が比較的薄地の素材で製造されており、ファン取付け部９３の厚みが距離Ｗ１に対して比較的小さいと、係止突起６６の回転軸Ａ１方向の移動がある程度許容されるため、送風装置１の上着９に対する装着が安定しない。よって、使用者は、係止突起６６が第１係止位置よりも時計回り方向Ｄ１において更に下流側へ移動するように、リング部材５を回動させる。このとき、第１凹部７１１に一旦入り込んだ係止片７５の爪７５１は、緩やかな傾斜面である面７１３に沿って第１凹部７１１から離脱する。係止片７５が径方向外側に撓んだ状態で、爪７５１は、内側筒部４１の外周面に沿って時計回り方向Ｄ１に移動する。
【０１０４】
係止突起６６が第２係止位置に配置されると、図４に示す基準突起マーク６３は、内側筒部４１の第２位置マーク６２７に対向する位置に配置される。これにより、使用者は、係止突起６６が第２係止位置に配置されたことを容易に認識することができる。図１４に示すように、係止突起６６が第２係止位置に配置されるのとあわせて、係止片７５の爪７５１は、係止片７５の復元力で第２凹部７１６内に入り込み、面７１７に係合する。また、図４に示す留め具８１は、第２保持部８３６に対向する位置に配置される。
【０１０５】
ファン取付け部９３の厚みが、前側フランジ５３と後側フランジ４３の間の距離Ｗ２と比較的近い場合には、ファン取付け部９３は、前側フランジ５３と後側フランジ４３の間で安定的に挟持される。係止突起６６が前方で第２係止部６１７に係止されることで、回転軸Ａ１方向において、リング部材５がハウジング４から離れる方向（前方）に移動することが規制される。また、係止片７５が第２凹部７１６に周方向に係止されることで、リング部材５が周方向に回転することが規制される。更に、使用者が留め具８１を第２保持部８３６に係合させると、リング部材５がハウジング４から離れる方向に移動することと、リング部材５が周方向に回転することが規制される。これにより、リング部材５がハウジング４に対して安定的に固定され、送風装置１が上着９に確実に装着される。
【０１０６】
使用者は、送風装置１を上着９から取り外す場合には、まず、リング部材５をハウジング４から取り外す。使用者は、第１保持部８３１または第２保持部８３６の一対の係止片を互いに近接する方向へ撓ませ、留め具８１を解除位置へ移動させる。使用者は、更に、第１凹部７１１または第２凹部７１６に係止された係止片７５のタブ７５６を反時計回り方向Ｄ２に押圧することで（または指で摘んで径方向外側へ引っ張ることで）係止片７５を撓ませ、係止を解除する。これにより、リング部材５のハウジング４に対する周方向の移動が許容される。使用者は、リング部材５をハウジング４に対して反時計回り方向Ｄ２に回動させ、係止突起６６を、第２部分６１４から第１部分６１１内へ移動させる。そして、リング部材５をハウジング４に対して前方へ相対移動させ、係止突起６６を第１部分６１１から離脱させる。使用者は、リング部材５をハウジング４から取り外した後、本体部３を上着９から取り外す。
【０１０７】
なお、リング部材５をハウジング４に対して着脱する際、使用者は、後側フランジ４３に形成された指掛け凹部４３２や、リング部材５に設けられた指掛け突起５５に指を掛けて、ハウジング４とリング部材５を把持し、両者を周方向に相対的に回転させたり、回転軸Ａ１方向に相対移動させたりすることができる。これにより、容易に着脱操作を行うことができる。
【０１０８】
上述のように、本実施形態では、係止機構６として、３つのガイド溝６１に対して３つの係止突起６６が設けられており、リング部材５のハウジング４への着脱時には、各対が係合する関係とされている。一方、回転規制機構７については、３組の回転係止部７１に対して、１つの係止片７５のみが設けられている。また、付加係止機構８については、１組の留め具保持部８３に対して１つの留め具８１が設けられている。
【０１０９】
このような構成に起因して、上述の例のように、基準突起マーク６３を用いて位置合わせが行われ、留め具８１が第１保持部８３１または第２保持部８３６に係合される場合には、３組の回転係止部７１のうち、特定の１組のみが係止片７５の係止に使用されている。しかしながら、使用者は、付加係止機構８を使用しない場合には、基準突起マーク６３による位置合わせは特に行うことなく、係止片７５を３組の回転係止部７１のうち任意の１つに係止させればよい。なお、この観点から、３つの係止突起６６すべてに対応するように、３つの基準突起マーク６３が設けられ、３組の回転係止部７１すべてに対応するように、３組の第１位置マーク６２１および第２位置マーク６２７が設けられていてもよい。
【０１１０】
以上に説明したように、使用者は、上着９、またはファン取付け部９３を有する衣服に対して送風装置１を着脱することができる。本実施形態では、送風装置１は、回転軸Ａ１方向に対向配置された後側フランジ４３と前側フランジ５３とでファン取付け部９３を挟持するとともに、係止機構６によって、リング部材５をハウジング４に対して回転軸Ａ１方向に係止することで、リング部材５がハウジング４から外れてしまうことを抑制する構成とされている。本実施形態では、係止突起６６の回転軸Ａ１方向の係止位置として、回転軸Ａ１方向の位置が互いに異なる第１係止部６１６と第２係止部６１７とが設けられているため、送風装置１は、異なる厚みを有する複数種類の衣服に対応することができる。
【０１１１】
特に、第１係止部６１６と第２係止部６１７は、使用者が所定の動作線に沿ってリング部材５をハウジング４に装着する過程で、係止突起６６が通過可能な経路上（詳細には、ガイド溝６１（ガイド面６１５））に形成されている。よって、使用者は、一連の装着操作の中で、係止突起６６をどちらか適切な係止位置に係止させればよい。つまり、使用者は、係止位置を変えるために、リング部材５をハウジング４から一旦取り外して装着しなおす必要がない。このように、本実施形態の送風装置１は、異なる厚みを有する複数種類の衣服に容易な操作で対応することができる。
【０１１２】
更に、リング部材５は、動作線に沿って、回転軸Ａ１方向（後方）、周方向（時計回り方向Ｄ１）の順にハウジング４に対して相対移動されることで、ハウジング４に装着される。そして、第１係止部６１６と第２係止部６１７は、ガイド溝６１のうち周方向に延在する第２部分６１４に設けられている。よって、係止突起６６は、一旦周方向（反時計回り方向Ｄ２）に移動されない限り、第１係止部６１６または第２係止部６１７に対する回転軸Ａ１方向の係止が解除されることがない。
【０１１３】
更に、回転規制機構７が、リング部材５がハウジング４に対して周方向（反時計回り方向Ｄ２）に移動することを規制する。かかる構成によって、リング部材５がハウジング４から外れる可能性を更に確実に抑制することができる。なお、係止片７５は、リング部材５のハウジング４に対する周方向（時計回り方向Ｄ１）の回転動作に応じて、第１凹部７１１または第２凹部７１６に係止される構成である。このため、使用者は、所定の動作線に沿ってリング部材５をハウジング４に装着する操作のみで、係止機構６および回転規制機構７の両方を動作させることができる。
【０１１４】
本実施形態では、係止機構６および回転規制機構７に加えて、ハウジング４に対するリング部材５の回転軸Ａ１方向の移動、および、周方向の回転を規制する付加係止機構８が設けられている。よって、万が一、係止機構６または回転規制機構７が機能しなかった場合でも、付加係止機構８がその機能を果たすことができるため、リング部材５がハウジング４から外れる可能性を更に確実に抑制することができる。
【０１１５】
更には、リング部材５の色がハウジング４とは異なるため、使用者は、リング部材５とハウジング４とを視覚的に明確に区別することができる。これにより、どの部材をどの部材に対して相対移動させればよいのかを即時に理解できるため、着脱操作（特に、リング部材５をハウジング４から取り外す操作）が容易となる。
【０１１６】
上記実施形態および変形例の各構成要素と本発明の各構成要素の対応関係を以下に示す。上着９は、本発明の「衣服」に対応する構成例である。送風装置１は、本発明の「送風装置」に対応する構成例である。モータ３３は、本発明の「モータ」に対応する構成例である。ファン３６は、本発明の「ファン」に対応する構成例である。ハウジング４は、本発明の「ハウジング」に対応する構成例である。リング部材５は、本発明の「装着部材」に対応する構成例である。後側フランジ４３は、本発明の「第１挟持部」に対応する構成例である。前側フランジ５３は、本発明の「第２挟持部」に対応する構成例である。係止機構６は、本発明の「係止機構」に対応する構成例である。係止突起６６は、本発明の「第１係止部」に対応する構成例である。ガイド溝６１またはガイド面６１５は、本発明の「第２係止部」に対応する構成例である。第１係止位置および第２係止位置は、本発明の「複数の係止位置」に対応する構成例である。
【０１１７】
回転規制機構７は、本発明の「回転規制機構」に対応する構成例である。係止片７５は、本発明の「第１回転規制部」に対応する構成例である。回転係止部７１（第１凹部７１１および第２凹部７１６）は、本発明の「第２回転規制部」に対応する構成例である。付加係止機構８は、本発明の「付加係止機構」に対応する構成例である。指掛け凹部４３２、指掛け突起５５は、夫々、本発明の「指掛け用の凹部」、「指掛け用の突起」に対応する構成例である。バッテリ９５、バッテリホルダ９６、ケーブル９７は、夫々、本発明の「バッテリ」、「バッテリホルダ」、「ケーブル」に対応する構成例である。本体部３のコネクタ（ジャック）３７、ケーブル９７のコネクタ(プラグ）９７３は、夫々、本発明の「装置側コネクタ」、「ケーブル側コネクタ」に対応する構成例である。規制リブ３８１は、本発明の「コネクタ規制部材」に対応する構成例である。
【０１１８】
上記実施形態は単なる例示であり、本発明に係る送風装置および衣服は、例示された送風装置１および上着９の構成に限定されるものではない。例えば、送風装置１や上着９の構成は、所望の付加機能に応じて、適宜、変更可能である。図１５〜図１９を参照して、変形例に係る送風装置１０および上着９について説明する。なお、以下では、便宜上、上記実施形態の送風装置１（図３〜図１４参照）と同一の構成（若干の相違はあるものの本質的に同一の構成を含む）については、同一の符号を付し、適宜、説明および図示を省略または簡略化する。
【０１１９】
まず、送風装置１０について説明する。図１５〜図１７に示すように、送風装置１０は、本体部３０と、リング部材５０とを備えている。本体部３０は、上記実施形態の本体部３と同一構成のモータ３３およびファン３６とを備えている。本体部３のハウジング４０、およびリング部材５０は、上記実施形態と同一構成の係止機構６（図４参照）を備える一方、若干構成の異なる回転規制機構７（図４参照）を備えている。
【０１２０】
本変形例の回転規制機構７は、係止片７５のタブ７５７のみが上記実施形態のタブ７５６（図１２参照）とは若干異なっている。具体的には、図１２に示すように、上記実施形態のタブ７５６は、前側フランジ５３の縁と概ね同じ位置まで突出しているのに対し、図１５および図１６に示すように、本変形例では、タブ７５７は、前側フランジ５３の縁よりも径方向外側に突出している。この構成によって、使用者は、リング部材５０をハウジング４０から取り外す場合、操作すべきタブ７５７の位置を容易に把握することができる。また、タブ７５７の先端部（具体的には、前側フランジ５３の縁よりも径方向外側に突出する部分）は、リング部材５０の他の部分とは異なる色とされている。これにより、タブ７５７の視認性を更に高めることができる。
【０１２１】
また、本変形例では、付加係止機構８（図４参照）は設けられていない。このような場合、上記実施形態において説明したように、使用者は、３つの係止突起６６を３つのガイド溝６１にどのように対応させてもよい。このため、図１５および図１６に示すように、ハウジング４０およびリング部材５０には、３つの基準突起マーク６３と、３組の第１位置マーク６２１および第２位置マーク６２７が設けられている。
【０１２２】
更に、上記実施形態において説明したように、ハウジング４０に対するリング部材５０の装着または取り外し過程において、使用者は、リング部材５０をハウジング４０に対して周方向に回転させる必要がある。そこで、本実施形態では、リング部材５０の外側筒部５１のフランジ状の前端面には、回転方向表示部５７が設けられている。回転方向表示部５７は、装着時のリング部材５０の回転方向を示す第１マーク５７１（矢印とロックされた鍵の図柄）と、取り外し時のリング部材５０の回転方向を示す第２マーク５７２（矢印とロック解除された鍵の図柄）とを含む。
【０１２３】
また、図１５〜図１７に示すように、ハウジング４０には、係合アーム４８１が設けられている。係合アーム４８１は、後述の上着９０に設けられたファン保持ベルト９８（図１９および図２０参照）に係合可能に構成されている。具体的には、排気部４６の周方向における一部には、第１リブ４６３が設けられない領域が設けられている。この領域は、係合アーム４８１にファン保持ベルト９８が装着される際のベルト通過領域４８を構成する。係合アーム４８１は、周方向においてベルト通過領域４８の両側で支持されて前方へ突出する略Ｕ字状の部分である。ファン保持ベルト９８の装着については後述する。
【０１２４】
なお、本変形例でも、ハウジング４０には、上記実施形態のハウジング４と同様のコネクタ配置領域３８が設けられている。図１６および図１７に示すように、ケーブル９７のコネクタ９７３が本体部３のコネクタ３７に接続され、コネクタ配置領域３８に配置されると、規制リブ３８１が径方向外側からコネクタ９７３に当接し、コネクタ９７３が外れることを防止する。
【０１２５】
次に、送風装置１０を着脱可能に構成された上着９０について説明する。図１８に示すように、上着９０は、身頃部分に一体的に縫い付けられたフード９００を備えている。よって、上着９０に送風装置１０が装着された場合、上着９０内に送出された空気は、フード９００まで流れて使用者の頭部を冷却することができる。なお、フード９００は、身頃に対してファスナやボタンで着脱可能とされていてもよい。
【０１２６】
フード９００を含む上着９０の大部分は、天然繊維、合成繊維、またはこれらの混紡の生地（空気が外部へ漏れにくいように表面加工された生地を含む）で形成されている。一方、フード９００のうち、使用者がフード９００を被った場合に両耳に対向する位置に対応する所定領域には、メッシュ生地が使用されたメッシュ部９０３が設けられている。これにより、使用者は、フード９００を被った場合でも、周辺の音を聞き取りやすい。なお、メッシュ部９０３は、フラップ（図示略）で遮蔽可能とされていてもよい。
【０１２７】
図１９に示すように、上着９０は、上記実施形態の上着９（図８参照）と同様、背面部の２箇所に形成された取付け開口９１（ファン取付け部９３）を有する。更に、本変形例では、上着９０の背面部には、ファン保持ベルト９８が取り付けられている。ファン保持ベルト９８は、上述した送風装置１の係合アーム４８１に係合することで、送風装置１０が上着９０から脱落することを防止するように構成されている。より詳細には、ファン保持ベルト９８は、可撓性を有する素材（例えば、布地）で帯状に形成されており、一端部がファン取付け部９３の上方で上着９０に縫い付けられている。ファン保持ベルト９８の両端部には、一対のフックボタン（スナップボタン）９８１が取り付けられている。よって、図１９の右側に示すように、フックボタン９８１が外された場合、ファン保持ベルト９８は、一端が自由端とされて帯状に延在する。一方、図１９の左側に示すように、フックボタン９８１が留められた場合、ファン保持ベルト９８はループ状とされて両端が上着９０に固定される。
【０１２８】
図１９および図２０を参照して、ファン保持ベルト９８の使用態様について説明する。使用者は、図１９の右側に示すように、ファン保持ベルト９８のフックボタン９８１が外された状態で、上記実施形態において説明したように、上着９０のファン取付け部９３に送風装置１０を取り付ける。そして、図２０に示すように、ベルト通過領域４８にファン保持ベルト９８を通し、係合アーム４８１を取り巻いた状態でファン保持ベルト９８をループ状にし、フックボタン９８１を留めることで、上着９に取り付ける。これにより、何らかの理由で、係止機構６の係止が解除されたとしても、ファン保持ベルト９８が、本体部３０がファン取付け部９３から外れて脱落するのを防止することができる。このため、ハウジング４０に収容されたモータ３３やファン３６が損傷する可能性を低減することができる。
【０１２９】
なお、本体部３０は、ファン取付け部９３から外れた場合、後側フランジ４３が配置された上着９０の外側に脱落する。本変形例では、ハウジング４０のうち、上着９の内側に配置される部分（詳細には、排気部４６）に設けられた係合アーム４８１に対し、上着９０の内側に取り付けられたファン保持ベルト９８が係合される。よって、上着９０の外側に脱落防止機構が設けられる場合に比べ、ファン保持ベルト９８は、より確実に本体部３０を保持することができる。また、ファン保持ベルト９８は、リング部材５０に対し、リング部材５０がハウジング４０から離れる方向側に配置されているため、本体部３０のみならず、リング部材５０の脱落をも防止することができる。
【０１３０】
また、モータ３３の駆動とファン３６の回転に伴って、送風装置１０が上着９０に対して回転すると、ケーブル９７や送風装置１０に余計な負荷がかかる可能性がある。また、意匠面として構成された閉塞部４５１（図６参照）の向きが、本来とは異なる方向に変わってしまう可能性がある。これに対し、ファン保持ベルト９８は、脱落防止機構のみならず、送風装置１０が上着９０に対して回転するのを規制する回転規制機構としても機能することができる。
【０１３１】
本変形例において、係合アーム４８１は、本発明の「係合部」に対応する構成例である。フックボタン９８１を有するファン保持ベルト９８は、本発明の「脱落防止機構」に対応する構成例である。なお、係合部と脱落防止機構の係合態様やその配置位置は、本変形例に例示したものに限られず、適宜、変更されればよい。例えば、脱落防止機構の他の構成例として、一端部が上着９０に取り付けられるとともに、他端部に係合アーム４８１に係合可能なフックを有する帯状部材、一端部が上着９０に取り付けられ、他端部を係合アーム４８１に結び付け可能な紐状部材等が挙げられる。また、例えば、係合アーム４８１に代えてフックが採用され、ファン保持ベルト９８に代えて、一端部が上着９０に取り付けられ、他端部にフックに係合可能な環状部材を有する帯状部材または紐状部材が採用されてもよい。
【０１３２】
上記の変形例のほか、下記に例示される変更を加えることができる。なお、これらの変更は、これらのうちいずれか１つのみ、あるいは複数が、上記実施形態および変形例に示す送風装置１、１０および上着９、９０、あるいは各請求項に記載された発明と組み合わされて採用されうる。
【０１３３】
リング部材５がハウジング４に対して着脱可能に構成される限り、ハウジング４およびリング部材５の構成は、適宜、変更されてもよい。例えば、ハウジング４の吸気部４５や排気部４６の構成（吸気口４５７や排気口４６７の配置等）が変更されてもよい。なお、着脱操作の容易性の観点からは、ハウジング４は少なくとも一部に円筒部を有し、リング部材５は、ハウジング４の円筒部に外嵌可能な円筒部を有することが好ましい。
【０１３４】
ファン取付け部９３（服地）を挟持可能な構成は、後側フランジ４３および前側フランジ５３に限られない。例えば、後側フランジ４３および前側フランジ５３は、必ずしも内側筒部４１および外側筒部５１の全周を取り巻く必要はなく、例えば、周方向の一部が切り欠かれていてもよいし、一部に開口が設けられていてもよい。服地をより確実に挟持するという観点からは、後側フランジ４３および前側フランジ５３は概ね同一の外径を有することが好ましいが、外径は異なっていてもよい。
【０１３５】
係止機構６は、リング部材５をハウジング４に対して回転軸Ａ１方向に係止することで、ハウジング４に対するリング部材５の回転軸Ａ１方向の移動を規制するように構成されていればよく、ハウジング４およびリング部材５に夫々設けられる構成は、ガイド溝６１および係止突起６６に限られない。例えば、配置関係を逆転し、ハウジング４の外周面に係止突起６６を設ける一方、リング部材５の内周面にガイド溝６１を設けてもよい。ガイド溝６１および係止突起６６の数は、３組に限られないが、より確実な係止という観点からは、複数組が設けられることが好ましい。
【０１３６】
また、ガイド溝６１および係止突起６６の形状、係止突起６６の係止位置等は、適宜変更されてもよい。例えば、ガイド溝６１は、凹部ではなく貫通孔として形成されてもよい。また、更に、服地の厚みの差異に対してより細かく対応可能とするために、回転軸Ａ１方向において係止突起６６が係止される係止位置は、３箇所以上設けられていてもよい。
【０１３７】
また、リング部材５がハウジング４に対して装着される場合の動作線（装着方向）も、適宜変更が可能である。上述実施形態では、ガイド溝６１のガイド面６１５が、全体として、時計回り方向Ｄ１に緩やかに後方へ傾斜するように形成されることで、リング部材５を回動する操作と、第１係止部６１６または第２係止部６１７へ係止突起６６を移動させる操作とを区別なくスムーズに行うことを可能としている。しかしながら、ガイド面６１５は、第１係止部６１６と第２係止部６１７に対応する面を含む階段状に形成されていてもよい。また、例えば、第１部分６１１の両側に、時計回り方向Ｄ１に延在する第２部分と、反時計回り方向Ｄ２に延在する第３部分とが夫々設けられてもよい。第２部分の前端を規定する壁面と、第３部分の前端を規定する壁面とは、回転軸Ａ１方向における位置が異なっていればよい。この場合、リング部材５は、ハウジング４に対して回転軸Ａ１方向（後方）に相対移動された後、服地の厚みに応じて、時計回り方向Ｄ１または反時計回り方向Ｄ２に相対移動されることになる。
【０１３８】
また、例えば、図２１に示す変形例のように、係止機構６に代えて、係止部６４と係止片６７とを含む係止機構６００が採用されてもよい。なお、図２１では、簡略化のため、ハウジング４の内側筒部４１０およびリング部材５の外側筒部５１０の一部の断面のみが模式的に示されている。
【０１３９】
係止部６４は、内側筒部４１０の外周面に回転軸Ａ１方向（前後方向）に沿って形成された断面Ｖ字状の複数の係止溝６４０で形成されている。各係止溝６４０を規定する２面のうち、前側の面６４１（図２１の左側の面）は、回転軸Ａ１に概ね直交するように配置され、後側の面６４２（図２１の右側の面）は、後方へ向けて拡径方向に傾斜するように配置される。各係止溝６４０は、係止片７５の係止位置を規定する。一方、係止片６７は、可撓性を有する帯状部材として、外側筒部５１０の中心軸Ａ２方向（前後方向）に延在するように、外側筒部５１０と一体的に形成されている。係止片６７は、上述の実施形態の係止片７５（図１２参照）と同様の構成を有し、先端部である後端部の内側には係止溝６４０に係止可能な爪６７１を有するとともに、外側にはタブ６７２を有する。係止部６４と係止片６７は、夫々、内側筒部４１０と外側筒部５１０の周方向に複数が設けられることが好ましい。
【０１４０】
係止機構６００を備えた送風装置では、リング部材５は、ハウジング４に対して回転軸Ａ１方向に相対移動されることで着脱される。つまり、回転軸Ａ１方向、周方向の順に相対移動される上述の実施形態とは異なり、リング部材５はハウジング４に対して周方向に相対移動される必要はない。このため、この変形例では、回転規制機構７は設けられなくてよい。但し、係止片６７が係止部６４から周方向に外れることをより確実に回避するという観点からは、例えば、周方向における係止部６４の両側に、係止片６７に当接して周方向への移動を規制する壁部が設けられることが好ましい。
【０１４１】
リング部材５をハウジング４に装着する場合、使用者は、係止部６４と係止片６７とが径方向に対向するように位置合わせをする。そして、外側筒部５１０を内側筒部４１０に対して後方へ移動させ、係止片６７を、ファン取付け部９３（服地）の厚みに応じて適切な係止溝６４０に係止させる。このように、使用者は、リング部材５を服地に応じて適切な係止位置まで回転軸Ａ１方向（具体的には、後方）に押し込むという容易な操作のみで、リング部材５をハウジング４に装着することができる。
【０１４２】
回転規制機構７および付加係止機構８の構成についても、係止機構６と同様、回転係止部７１と係止片７５の配置関係や、留め具８１と留め具保持部８３の配置関係を逆転する等、適宜変更が可能である。また、回転規制機構７および付加係止機構８は、必ずしも設けられる必要はない。なお、付加係止機構８は、係止機構６と併用される場合、少なくとも、ハウジング４に対するリング部材５の周方向の回転を規制することが好ましい。
【０１４３】
指掛け凹部４３２や指掛け突起５５は、操作性の向上の観点からは設けられることが好ましいが、何れか一方、または両方が省略されてもよい。
【０１４４】
送風装置１を着脱可能な衣服は、上着９のような上衣である必要はなく、例えば、ズボンのような下衣であってもよい。また、衣服が表地と裏地の２層構造を有する場合には、ファン取付け部９３が表地に設けられ、送風装置１の装着時には、排気部４６が表地と裏地の間の内部空間に配置されてもよい。この場合、襟元や脇等に、適宜、表地と裏地とが縫い合わされない部分（開口部）が設けられることで、内部空間に送出された空気が外部に排出可能とされる。また、衣服におけるファン取付け部９３の位置や数は、適宜変更することができる。
【０１４５】
本発明および上記実施形態の趣旨に鑑み、以下の態様が構築される。以下の態様のうち少なくとも１つが、上述の実施形態または変形例に示す送風装置および衣服、あるいは各請求項に記載された発明と組み合わされて採用されてもよい。
【０１４６】
[態様１]
前記第２係止部は、前記第１係止部を、前記回転軸方向のうち、前記ハウジングと前記装着部材とが互いに離れる離間方向に係止するように構成されていてもよい。
[態様２]
態様１に記載の送風装置において、
前記装着部材は、前記動作線に沿って、前記回転軸方向のうち前記離間方向とは反対の近接方向、前記回転軸周りの周方向のうち第１方向の順に前記ハウジングに対して相対移動されることで、前記ハウジングに装着されるように構成されていてもよい。
[態様３]
態様２に記載の送風装置において、
前記第２回転規制部は、前記装着部材を前記ハウジングに対して前記周方向のうち前記第１方向とは反対の第２方向に係止するように構成されていてもよい。
[態様４]
請求項２に記載の送風装置において、
前記第１係止部は、突起であり、
前記第２係止部は、前記突起の少なくとも一部を内部に配置可能に構成されるとともに、前記突起の移動を案内可能に構成された溝または貫通孔であって、
前記溝または前記貫通孔は、前記回転軸方向に延在する第１部分と、前記第１部分から連続して前記周方向に延在する第２部分とを含み、
前記第２部分は、前記複数の係止位置で前記突起を係止可能な複数の係止部を有してもよい。
[態様５]
態様４に記載の送風装置において、
前記第２部分は、前記周方向のうち所定方向に向けて前記第１部分から延びるとともに、前記所定方向に向かうにつれて、前記回転軸方向のうち前記ハウジングと前記装着部材とが互いに離れる離間方向に僅かに傾斜していてもよい。
[態様６]
前記衣服は、開口部を有し、
前記開口部は、前記第１挟持部が前記衣服の外部に配置された状態で、前記ハウジングの一部を挿入可能に構成されていてもよい。
【０１４７】
[態様７]
前記装着部材は、前記動作線に沿って、前記回転軸方向のうち前記ハウジングと前記装着部材とが互いに近接する近接方向、前記回転軸周りの周方向のうち第１方向の順に前記ハウジングに対して相対移動されることで、前記ハウジングに装着されるように構成されていてもよい。
[態様８]
前記少なくとも１つの係止位置は、前記回転軸方向において互いに異なる位置にある複数の係止位置であってもよい。
本態様の送風装置は、異なる厚みを有する複数種類の衣服に容易な操作で対応することができる。
[態様９]  前記コネクタ規制部材は、前記装置側コネクタに接続された前記ケーブル側コネクタの配置領域に対して前記ケーブル側コネクタが外れる方向側に設けられ、前記配置領域に配置された前記ケーブル側コネクタに当接可能に構成されたリブまたは壁部を含んでもよい。
[態様１０]
前記脱落防止機構は、前記衣服に一部が取り付けられ、前記係合部に係合可能に構成された可撓性部材を備えていてもよい。
[態様１１]
前記態様１０に記載の送風装置において、
前記可撓性部材は、帯状または紐状に形成され、且つ、一端部が前記衣服に取り付けられるとともに、前記可撓性部材がループ状となるように、他端部が前記衣服に取り付け可能に構成され、
前記係合部は、前記に両端が支持されたアームとして構成され、
前記可撓性部材は、前記アームがループ内に通された状態で前記他端部が前記衣服に取り付けられることで、前記ハウジングの脱落を防止するように構成されていてもよい。
【符号の説明】
【０１４８】
１：送風装置
３、３０：本体部
３３：モータ
３６：ファン
３６１：ベース部
３６３：羽根
３７：コネクタ
３８：コネクタ配置領域
３８：規制リブ
４、４０：ハウジング
４１：内側筒部
４１０：内側筒部
４３：フランジ（後側フランジ）
４３２：指掛け凹部
４５：吸気部
４５３：第１リブ
４５５：第２リブ
４５７：吸気口
４６：排気部
４６１：閉塞部
４６３：第１リブ
４６４：第２リブ
４６５：第３リブ
４６７：排気口
４８：ベルト通過領域
４８１：係合アーム
５、５０：リング部材
５１、５１０：外側筒部
５２：前側フランジ
５３：フランジ（前側フランジ）
５５：指掛け突起
５７：回転方向表示部
５７１：第１マーク
５７２：第２マーク
６、６００：係止機構
６１：ガイド溝
６１１：第１部分
６１２：受入口
６１４：第２部分
６１５：ガイド面
６１６：第１係止部
６１７：第２係止部
６１８：段差
６２１：第１位置マーク
６２７：第２位置マーク
６３：基準突起マーク
６４：係止部
６４０：係止溝
６４１：面
６４２：面
６６：係止突起
６７：係止片
６７１：爪
６７２：タブ
７：回転規制機構
７１：回転係止部
７１１：第１凹部
７１２：面
７１３：面
７１６：第２凹部
７１７：面
７３：ガイド凹部
７５：係止片
７５６、７５７：タブ
７５１：爪
８：付加係止機構
８１：留め具
８１１：ベース
８３：留め具保持部
８３１：第１保持部
８３６：第２保持部
９、９０：上着
９００：フード
９０３：メッシュ部
９１：取付け開口
９３：ファン取付け部
９５：バッテリ
９５１：ガイドレール
９５３：ボタン
９６：バッテリホルダ
９６２：クリップ
９６４：操作部
９６６：ケーブル
９６７：コネクタ
９７：ケーブル
９７１：コネクタ
９７３：コネクタ
９８：：ファン保持ベルト
９８１：フックボタンＡ１：回転軸
Ａ２：中心軸
【図１】
2018115646.tif 000003
【図２】
2018115646.tif 000004
【図３】
2018115646.tif 000005
【図４】
2018115646.tif 000006
【図５】
2018115646.tif 000007
【図６】
2018115646.tif 000008
【図７】
2018115646.tif 000009
【図８】
2018115646.tif 000010
【図９】
2018115646.tif 000011
【図１０】
2018115646.tif 000012
【図１１】
2018115646.tif 000013
【図１２】
2018115646.tif 000014
【図１３】
2018115646.tif 000015
【図１４】
2018115646.tif 000016
【図１５】
2018115646.tif 000017
【図１６】
2018115646.tif 000018
【図１７】
2018115646.tif 000019
【図１８】
2018115646.tif 000020
【図１９】
2018115646.tif 000021
【図２０】
2018115646.tif 000022
【図２１】
2018115646.tif 000023